(57)【要約】【課題】廃棄物収集車において、廃棄物収集箱の後端開口部下方の構成に工夫を加えることで、廃棄物の排出時に廃棄物及びその汚水が拡散するのを確実に防ぐ。【解決手段】車体上に後方開口部３を有し、車体後方に設けた傾動軸を中心に傾動可能な廃棄物収集箱４を搭載する。後方開口部３の後面に後方開口部３を開閉自在に廃棄物投入箱を連設する。廃棄物投入箱内に投入口から投入された廃棄物を廃棄物収集箱４に収集する反転投入装置（廃棄物収集装置）を設ける。後方開口部３下方の下部空間に、廃棄物収集箱４と略同一幅に形成され、廃棄物収集箱４よりも後方にかつ下方に張り出したカバー体５２を設ける。このカバー体５２と略同一幅に形成された延長プレート６０をカバー体５２の下端にヒンジ結合する。カバー体５２及び延長プレート６０により、廃棄物収集箱４を傾動させて内部の廃棄物を排出するときに、廃棄物及びその汚水を誘導する。【選択図】図１１
2008308292.tif 000002
【特許請求の範囲】
【請求項１】
車体上に搭載され、後方開口部を有し、該車体後方に設けた傾動軸を中心に傾動可能な廃棄物収集箱と、
該後方開口部の後面に該後方開口部を開閉自在に連設された廃棄物投入箱と、
該廃棄物投入箱内に設けられ、該廃棄物投入箱の投入口から投入された廃棄物を廃棄物収集箱に収集する廃棄物収集装置とを備えた廃棄物収集車であって、
後方開口部下方の下部空間に、廃棄物収集箱と略同一幅に形成され、廃棄物収集箱よりも後方にかつ下方に張り出したカバー体と、
上記カバー体と略同一幅に形成され、該カバー体の下端にヒンジ結合され、廃棄物収集箱を傾動させて内部の廃棄物を排出するときに、廃棄物及びその汚水を誘導する延長プレートとを備えている
ことを特徴とする廃棄物収集車。
【請求項２】
請求項１に記載の廃棄物収集車において、
上記廃棄物収集箱の後方開口部の下端両隅角部周縁には、後方に向かって左右内側に傾斜するテーパ面を有するシュータが突設されている
ことを特徴とする廃棄物収集車。
【請求項３】
請求項１又は２に記載の廃棄物収集車において、
上記廃棄物投入箱の下端には、上記廃棄物投入箱で後方開口部を閉じているときに上記延長プレートを係止する係止部材が設けられ、
上記延長プレートには、上記係止部材に係止される被係止部材が設けられている
ことを特徴とする廃棄物収集車。
【請求項４】
請求項３に記載の廃棄物収集車において、
上記延長プレートの被係止部材が係止部材に係止されているときに、廃棄物投入箱が開くのを規制する開操作規制手段を備えている
ことを特徴とする廃棄物収集車。
【請求項５】
請求項３又は４に記載の廃棄物収集車において、
上記延長プレートの左右端部には、該延長プレートを持ち上げるための取っ手が形成されている
ことを特徴とする廃棄物収集車。
【請求項６】
請求項３乃至５のいずれか１つに記載の廃棄物収集車において、
上記延長プレートは、廃棄物及びその汚水が流れ出すのを防止する側壁を有し、被係止部材が係止部材に係止されているときには、該延長プレートが、廃棄物投入箱の下面を覆うように構成されている
ことを特徴とする廃棄物収集車。
【請求項７】
請求項１乃至６のいずれか１つに記載の廃棄物収集車において、
上記廃棄物収集装置は、上記廃棄物投入箱内に昇降及び反転可能に設けられ、該廃棄物投入箱の投入口から投入された廃棄物を廃棄物収集箱に収集する昇降バケットを備えている
ことを特徴とする廃棄物収集車。
【発明の詳細な説明】
【技術分野】
【０００１】
本発明は、魚のあらなどの廃棄物を収集する廃棄物収集車に関するものである。
【背景技術】
【０００２】
従来より、車体上に搭載され、後方開口部を有し、車体後方に設けた傾動軸を中心に傾動可能な廃棄物収集箱と、この後方開口部の後面に該後方開口部を開閉自在に連設された廃棄物投入箱と、この廃棄物投入箱内に設けた廃棄物収集装置とを備え、この廃棄物収集装置によって、廃棄物投入箱の投入口から投入された廃棄物を後方開口部から廃棄物収集箱に収集する廃棄物収集車は知られている（例えば、特許文献１）。
【０００３】
しかしながら、このような廃棄物収集車では、魚のあらなどの水分を多量に含む廃棄物を収集する場合、廃棄物より多量の汚水がにじみ出る。このような廃棄物を排出する際には、汚水などが廃棄物と共に後方開口部より下方に滴下するため、廃棄物投入箱の下方に位置する車体側部材、例えばシャーシフレームの後端部などが汚水によって汚れたり、廃棄物収集車の周囲を汚染したりするという問題がある。
【０００４】
そこで、例えば、特許文献２では、後方開口部下方の下部空間に、廃棄物収集箱と略同一幅に形成されたカバー体を、廃棄物収集箱よりも後方にかつ下方に張り出して設けている。
【特許文献１】特開２００４−１８２１６号公報
【特許文献２】実開平６−６３０８号公報
【発明の開示】
【発明が解決しようとする課題】
【０００５】
しかしながら、特許文献２の廃棄物収集車であっても、カバー体は、主にシャーシフレームの後端部などが汚れるのを防ぐためのものであり、カバー体の後端部と廃棄物を流し込むピットとの間で距離があるので、廃棄物が汚水と共に広がるように排出され、廃棄物収集車の周囲を汚染するという問題が残る。
【０００６】
本発明は、かかる点に鑑みてなされたものであり、その目的とするところは、廃棄物収集箱の後端開口部下方の構成に工夫を加えることで、廃棄物の排出時に廃棄物及びその汚水が拡散するのを確実に防ぐことにある。
【課題を解決するための手段】
【０００７】
上記の目的を達成するために、この発明では、カバー体の後端に延長プレートを設けた。
【０００８】
具体的には、第１の発明では、車体上に搭載され、後方開口部を有し、該車体後方に設けた傾動軸を中心に傾動可能な廃棄物収集箱と、
該後方開口部の後面に該後方開口部を開閉自在に連設された廃棄物投入箱と、
該廃棄物投入箱内に設けられ、該廃棄物投入箱の投入口から投入された廃棄物を廃棄物収集箱に収集する廃棄物収集装置とを備えた廃棄物収集車を対象とする。
【０００９】
上記廃棄物収集車は、
後方開口部下方の下部空間に、廃棄物収集箱と略同一幅に形成され、廃棄物収集箱よりも後方にかつ下方に張り出したカバー体と、
上記カバー体と略同一幅に形成され、該カバー体の下端にヒンジ結合され、廃棄物収集箱を傾動させて内部の廃棄物を排出するときに、廃棄物及びその汚水を誘導する延長プレートとを備えている。
【００１０】
上記の構成によると、廃棄物収集箱を傾動させて魚のあらなどの水分を多く含んだ廃棄物を排出するときに、廃棄物と共に、廃棄物よりにじみ出て廃棄物収集箱の底に溜まった汚水が勢いよく流れ出すが、廃棄物及びその汚水は、まず、カバー体によって誘導され、さらに、延長プレートによって確実に廃棄用のピットに誘導されるので、周囲を汚染することはない。
【００１１】
第２の発明では、第１の発明において、
上記廃棄物収集箱の後方開口部の下端両隅角部周縁には、後方に向かって左右内側に傾斜するテーパ面を有するシュータが突設されている。
【００１２】
上記の構成によると、廃棄物収集箱を傾動させて魚のあらなどの水分を多く含んだ廃棄物を排出するときに、廃棄物と共に汚水が勢いよく流れ出すが、廃棄物及びその汚水は、後方開口部の下端両隅角部周縁に設けたシュータのテーパ面に誘導されて左右内側に向かって流れ出す。このため、廃棄物及びその汚水はカバー体及び延長プレートからはみ出さずに確実に廃棄用ピットに流れ込むので、廃棄物収集車の周囲を汚染することはない。また、シュータは、廃棄物収集箱の一部のみ占有するだけなので、その容量の減少は、最小限に保たれる。
【００１３】
第３の発明では、第１又は第２の発明において、
上記廃棄物投入箱の下端には、上記廃棄物投入箱で後方開口部を閉じているときに上記延長プレートを係止する係止部材が設けられ、
上記延長プレートには、上記係止部材に、その係止される被係止部材が設けられている。
【００１４】
上記の構成によると、延長プレートは、廃棄物投入箱で後方開口部を閉じているときに廃棄物投入箱の下端の係止部材に被係止部材を係止され、廃棄物投入箱の下面に固定される。このため、走行中などの延長プレートを使用しないときに、延長プレートが邪魔になることはない。
【００１５】
第４の発明では、第３の発明において、
上記延長プレートの被係止部材が係止部材に係止されているときに、廃棄物投入箱が開くのを規制する開操作規制手段を備えている。
【００１６】
上記の構成によると、開操作規制手段により、延長プレートが廃棄物投入箱の下面に固定されているときに、誤って廃棄物投入箱を開く操作をして延長プレートを引っ張って係止部材及び被係止部材を損傷させることはない。
【００１７】
第５の発明では、第３又は第４の発明において、
上記延長プレートの左右端部には、該延長プレートを持ち上げるための取っ手が形成されている。
【００１８】
上記の構成によると、取っ手を持つことで延長プレートの被係止部材を係止部材に係止させやすく、また、係止状態の解除も容易となる。
【００１９】
第６の発明では、第３乃至第５のいずれか１つの発明において、
上記延長プレートは、廃棄物及びその汚水が流れ出すのを防止する側壁を有し、被係止部材が係止部材に係止されているときには、該延長プレートが、廃棄物投入箱の下面を覆うように構成されている。
【００２０】
上記の構成によると、延長プレートは、廃棄物投入箱の下面を覆うように確実に固定される。
【００２１】
第７の発明では、第１乃至第６の発明において、
上記廃棄物収集装置は、上記廃棄物投入箱内に昇降及び反転可能に設けられ、該廃棄物投入箱の投入口から投入された廃棄物を廃棄物収集箱に収集する昇降バケットを備えている。
【００２２】
上記の構成によると、袋詰めされていない廃棄物を昇降バケットに投入後、昇降バケットを上昇させて反転させ、昇降バケット内の廃棄物を確実に廃棄物収集箱に収集する。また、袋詰めできないような、汚水がにじみ出て排出時に拡散されやすい廃棄物がカバー体及び延長プレートによって確実にピットに誘導されるので、廃棄物及びその汚水は拡散せず、周囲を汚染することはない。
【発明の効果】
【００２３】
以上説明したように、上記第１の発明によれば、後方開口部下方の下部空間にカバー体を設け、このカバー体の下端に延長プレートをヒンジ結合し、廃棄物収集箱を傾動させて内部の廃棄物を排出するときに、カバー体及び延長プレートで廃棄物及びその汚水を誘導するようにしたことにより、廃棄物の排出時に廃棄物及びその汚水を廃棄用のピットに確実に流し込むことができるので、周囲を汚さずに効率よく廃棄物を廃棄することができる。
【００２４】
上記第２の発明によれば、廃棄物及びその汚水を後方開口部の下端両隅角部周縁に設けたシュータのテーパ面によって左右内側に向かって流れ出すようにしたことにより、簡単な構成で廃棄物収集箱の容積の減少を最小限に保ちながら、廃棄物及びその汚水がカバー体及び延長プレートからはみ出すの防いで周囲の汚染を確実に防ぐことができる。
【００２５】
上記第３の発明によれば、廃棄物投入箱で後方開口部を閉じているときに、延長プレートの被係止部材を廃棄物投入箱の下端の係止部材に係止して廃棄物投入箱の下面に固定するようにしたことにより、延長プレートをコンパクトに収納することができる。
【００２６】
上記第４の発明によれば、開操作規制手段によって、被係止部材が係止部材に係止されているときに、廃棄物投入箱を開くのを規制したことにより、係止部材及び被係止部材の損傷を防止しながら、延長プレートを収納することができる。
【００２７】
上記第５の発明によれば、延長プレートの左右端部に取っ手を設けたことにより、延長プレートの操作を容易にして作業効率を向上させることができる。
【００２８】
上記第６の発明によれば、延長プレートを、廃棄物投入箱の下面を覆うように固定したことにより、延長プレートをコンパクトかつ確実に格納することができる。
【００２９】
上記第７の発明によれば、廃棄物を昇降バケットにより、廃棄物収集箱に収集するようにしたことにより、袋詰めできないような拡散しやすい廃棄物でも、その汚水と共にカバー体及び延長プレートによって廃棄用ピットに確実に流し込んで、その拡散を防止することができる。
【発明を実施するための最良の形態】
【００３０】
以下、本発明の実施形態を図面に基づいて説明する。
【００３１】
−廃棄物収集車の構造−
図２乃至図４は、本発明の実施形態の廃棄物収集車１を示し、この廃棄物収集車１は、走行可能な車体２を有し、この車体２上には、後方開口部３を有する廃棄物収集箱４が搭載されている。この廃棄物収集箱４は、車体２に設けた傾動シリンダ５を伸縮させることにより、車体２後方の傾動軸６を中心に傾動可能（ダンプ可能）に構成されている。
【００３２】
上記後方開口部３の後面には、廃棄物投入箱７が後方開口部３を開閉可能に設けられている。すなわち、この廃棄物投入箱７は、後方開口部３に設けた回動シリンダ８を伸縮させることで、後方開口部３の上端に設けた回動軸９を中心に回動可能に支持され、このことで、後方開口部３を開閉可能となっている。廃棄物投入箱７の後面には、廃棄物を投入する投入口７ａが設けられている。廃棄物投入箱７の前壁７ｂの上側には、収集口７ｃが開口されている。
【００３３】
図１，図５及び図６に示すように、上記廃棄物投入箱７の内部には、廃棄物収集装置としての反転投入装置１０が設けられている。この反転投入装置１０は、後方開口部３の横幅よりも若干狭い横幅を有する昇降バケット１１を備えている。
【００３４】
図７乃至図９に示すように、廃棄物投入箱７の左右内面には、上端が前方へ傾斜したガイド１２がそれぞれ設けられている。各ガイド１２の上下には、上プーリ１３と下プーリ１４とがそれぞれ回転自在に設けられ、これら上下プーリ１３，１４にワイヤ１５が掛けられている。
【００３５】
図９に示すように、廃棄物投入箱７の下端には、バケットシリンダ２０が左右に伸びるように配置されている。バケットシリンダ２０のシリンダ側は、後方から見て左側の廃棄物投入箱７の下面７ｄに固定され、左側端部に下プーリ１４と並列に左プーリ２１が回転自在に連結されている。バケットシリンダ２０のシリンダロッド２０ａの先端には、２枚の右プーリ２２が回転自在に連結されている。右プーリ２２は、バケットシリンダ２０の伸縮に伴い、左右に移動するようになっている。上記左右のワイヤ１５の先端１５ａには、スライダ２３がそれぞれ連結されている。右側のワイヤ１５の他端１５ｂは、上記上プーリ１３及び下プーリ１４を通って左プーリ２１を通過し、後側の右プーリ２２を通って廃棄物投入箱７の下端に固定されている。左側の他端１５ｂは、上記上プーリ１３及び下プーリ１４を通って前側の右プーリ２２を通過し、廃棄物投入箱７の下端に固定されている。左右のガイド１２には、後面側が開口するように、このガイド１２に沿ってガイド溝２４が形成され、ガイド溝２４内にスライダ２３が配置されている。このように構成することで、バケットシリンダ２０を伸縮させると、ワイヤ１５が巻き取られ、又は繰り出され、左右のガイド溝２４上をスライダ２３がそれぞれ昇降するようになっている。
【００３６】
上記左右のスライダ２３には、左右に伸びるバケット支持軸２５が回転自在に連結されている。このバケット支持軸２５には、昇降バケット１１の前面上側に突設したリブ１１ａが回転一体に連結されている。
【００３７】
上記ガイド１２のガイド溝２４の左右内側（左右いずれか一方でもよい）には、このガイド溝２４に沿ってガイドレール２８が形成されている。このガイドレール２８の上端部２８ａは、前方側へ鉤状に湾曲形成されている。このガイドレール２８内には、昇降アーム２６の一端に回転自在に連結されたガイドローラ２９が昇降自在に配置されている。昇降アーム２６の他端は、バケット支持軸２５に回転一体に挿入されている。
【００３８】
このように構成することで、バケットシリンダ２０を伸縮させるとスライダ２３が昇降し、そのことで、ガイドローラ２９もガイドレール２８内を昇降して昇降バケット１１が昇降すると共に、上端まで上昇した昇降バケット１１がガイドレール２８の上端部２８ａで反転されるようになっている。このため、昇降バケット１１が昇降及び反転可能となり、廃棄物投入箱７の投入口７ａから投入された廃棄物を収集口７ｃから廃棄物収集箱４に収集するようになっている。
【００３９】
図５、図６及び図１０に示すように、廃棄物収集車１は、廃棄物投入箱７の下部に昇降バケット１１の質量を計量可能なバケット計量装置３０を備えている。このバケット計量装置３０は、廃棄物投入箱７の下面７ｄに載置されている。すなわち、投入口７ａの下端には、起伏自在な回転台１６が設けられ、その前側にバケット計量装置３０が配置されている。バケット計量装置３０は、昇降バケット１１の質量を計量する公知の計量器３１を備え、この計量器３１は、リフタ３２により昇降可能に支持されている。この計量器３１は、図示しないデジタル表示計に信号を送るように構成されている。このデジタル表示計は、計量結果を記憶可能に構成され、その場で廃棄物の合計を計算して印刷可能となっている。また、記憶した結果を事務所に持ち帰ることもできるようになっている。
【００４０】
上記リフタ３２は、上方が開口した平面視矩形状のケーシング３３を備えている、ケーシング３３は、鋼板で構成してもよいし、強化樹脂で構成してもよい。このケーシング３３の上端開口３３ａは、上記計量器３１を支持する計量台３４で閉じられている。この計量台３４は、ケーシング３３に載せられた矩形皿形の蓋よりなる。
【００４１】
上記ケーシング３３の前後側壁３３ｂには、一対のカム軸３５が前後方向に伸びるように回転自在に設けられている。各カム軸３５には、このカム軸３５と一体に回転するようにシリンダ側カム部材３６が連結されている。ケーシング３３は、前後に延びる左右隔壁３３ｃで区画され、この左右隔壁３３ｃに昇降シリンダ３７のチューブ側端部が回動可能に連結されている。シリンダ側カム部材３６の他端は、昇降シリンダ３７のシリンダロッド３７ａの先端に回転可能に連結されている。各カム軸３５の前後両端には、シリンダ側カム部材３６よりも腕部の短い計量台側カム部材３８がその腕部の位置をシリンダ側カム部材３６の位置とずらせて回転一体に連結されている。計量台側カム部材３８の先端には、押し上げローラ３９が回転自在に設けられ、この押し上げローラ３９が計量台３４裏面に当接して回転しながら計量台３４を押し上げるように構成されている。すなわち、リフタ３２は、各昇降シリンダ３７のシリンダロッド３７ａを伸縮させてシリンダ側カム部材３６及び計量台側カム部材３８を揺動させて計量台３４を昇降させるように構成されている。
【００４２】
計量台３４に計量器３１を載せた状態で下降位置にある昇降バケット１１の下面との間に高さｈの隙間ができている。このようにリフタ３２を構成することで、昇降バケット１１の計量時に計量器３１を、高さｈよりも上昇させて下降位置にある昇降バケット１１を押し上げることで、昇降バケット１１の質量を計量可能に構成されている。また、昇降シリンダ３７を水平に設けることで、計量台３４の昇降方向（上下方向）に立てて設ける場合に比べて上下方向の高さが削減されている。
【００４３】
図１１及び図１２に示すように、廃棄物収集箱４の底面４ａと両側壁４ｂとの間に形成される下端両隅角部４ｃの後方開口部３の周縁には、シュータ４０が突設されている。シュータ４０は、略三角錐台形状のもので、後方に向かって左右内側に傾斜するテーパ面４０ａを有している。シュータ４０の後面４０ｂは、垂直に立設され、上端は、左右内側に向かって下方に傾斜している。シュータ４０の上面４０ｃは、左右方向内側に向かって傾斜している。
【００４４】
このようなシュータ４０の形状により、シュータ４０は、廃棄物収集箱４を傾動させて内部の廃棄物を排出するときに、廃棄物及びその汚水が拡散するのを防止する役割を果たしている。
【００４５】
上記後方開口部３下方の下部空間には、廃棄物収集箱４と略同一幅に形成された車幅方向に延びる鋼板製のカバー体５２が、後方開口部３よりも後方にかつ下方に張り出して設けられている。上記カバー体５２は、左右のシャーシフレーム（図示せず）間に配された中央に位置する中央カバー部５３と、上記左右のシャーシフレームの外方、つまり中央カバー部５３の左右端に連設された左右カバー部５４とからなる。上記中央カバー部５３は、上記廃棄物収集箱４の下面４ａ後端の補強メンバ（図示せず）に上側前端が接合されて後方へ下向きに延びたのち、上記左右のシャーシフレームの後端面に沿ってさらに後方へ下向きに延びて断面略くの字状に形成されている。一方、上記左右カバー部５４は、廃棄物投入箱７を後方開口部３に固縛する固縛フック（図示せず）の揺動軌跡との干渉が回避されるよう，上記左右のシャーシフレームの外側面後端に接合されつつ、後側下端位置において上記中央カバー部５３に一致するよう後方へ下向きに延びて断面略直線状に形成されている。カバー体５２の左右端部には、廃棄物及びその汚水が流れ出すのを防止する側壁５５が立設されている。側壁５５の前後端部は、折り畳み易いように切欠が形成されている。
【００４６】
図３、図１１乃至図１３に示すように、本発明の特徴として、上記カバー体５２の下端には、カバー体５２と略同一幅に形成された延長プレート６０がヒンジ結合されている。すなわち、カバー体５２の下端と、延長プレート６０の上端とは、ヒンジ６１によって折り畳み可能に、かつ、両者の隙間はほとんどないように連結されている。また、延長プレート６０は、矩形板状のプレート本体６０ａと、このプレート本体６０ａの左右両端に立設され、廃棄物及びその汚水が流れ出すのを防止する側壁６０ｂとを有している。側壁６０ｂの前後端部は、折り畳み易いように切欠が形成されている。このように構成することで、延長プレート６０は、カバー体５２と共に、廃棄物収集箱４を傾動させて内部の廃棄物を排出するときに、廃棄物及びその汚水を誘導する役割を果たしている。
【００４７】
上記延長プレート６０の左右端部には、延長プレート６０を持ち上げるための取っ手６３が形成されている。取っ手６３は、丸鋼をコ字状に折り曲げてプレート本体６０ａに溶接されたものよりなる。
【００４８】
図１４に示すように、上記廃棄物投入箱７の下端には、廃棄物投入箱７で後方開口部３を閉じているときに延長プレート６０を係止する係止部材７０が設けられている。具体的には、係止部材７０は、廃棄物投入箱７の下端側壁に設けた係止部材固定用ブラケット７１に固定されたハンドル７２と、このハンドル７２に回動可能に連結された係止部材本体７３とを備えている。係止部材本体７３には、押圧バネ７４が取り付けられ、ハンドル７２を上方へ回動させると、この押圧バネ７４を押圧しながら、係止部材本体７３の環状部７３ａを引き上げるように構成されている。
【００４９】
一方、上記延長プレート６０には、上記係止部材７０に係止される被係止部材７５が設けられている。この被係止部材７５は、取っ手６３の上側の側壁６０ｂに溶接された鉤状のものよりなり、この鉤状の部分にハンドル７２を操作して上記環状部７３ａを下方から係止し、工具を使うことなく、押圧バネ７４の付勢により外れ止めされた状態で係止されるようになっている。被係止部材７５が係止部材７０に係止されているときには、図１３に示すように、延長プレート６０が、廃棄物投入箱７の下面７ｄを覆うように固定されるようになっている。
【００５０】
このように被係止部材７５が係止部材７０に係止されているときには、開操作規制手段７８によって廃棄物投入箱７が開くのが規制されている。すなわち、詳細は図示しないが、例えば、この開操作規制手段７８は、廃棄物投入箱７の下面７ｄに設けたセンサ部７９を備え、このセンサ部７９により、延長プレート６０が下面７ｄに固定されているかを検出するように構成されている。廃棄物収集箱４の操作をしようとすると、このセンサ部７９により信号がコントローラ８０に送信され、ブザーが鳴り、又はパイロットランプが点灯するようになっている。ハンドル７２を操作して環状部７３ａを被係止部材７５から外し、延長プレート６０の先端をピット８１にセットすることで、開操作規制手段７８の規制が解除され、ブザーやパイロットランプが停止するようになっている。
【００５１】
−廃棄物収集車の作動−
次に、本実施形態にかかる廃棄物収集車１の作動について説明する。
【００５２】
廃棄物を収集するには、まず、図６に示すように、廃棄物投入箱７の投入口７ａを開き、回転台１６を後方に倒す。
【００５３】
次いで、ガイドレール２８の下端（下降位置）に位置する昇降バケット１１に魚のあらなどの廃棄物を放り込む。このとき、バケット計量装置３０のリフタ３２は、下降させているので、計量台３４が上端開口３３ａを閉じている。
【００５４】
次いで、左右の昇降シリンダ３７のシリンダロッド３７ａを伸ばしてシリンダ側カム部材３６及び計量台側カム部材３８を揺動させて計量台３４を昇降させる。このことで、廃棄物が投入された昇降バケット１１の質量が計量される。このため、簡単な操作で計量器３１が確実に昇降されるとともに、昇降シリンダ３７の力を伝えやすく、質量の重い昇降バケット１１の支持も可能である。なお、予め廃棄物を投入しない空の昇降バケット１１の質量を同様に計量して袋引き（ゼロ点調整）しておくとよい。計量結果をデジタル表示計に表示させると共に記憶させる。計量後、バケット計量装置３０のリフタ３２は下降させておく。
【００５５】
次いで、バケットシリンダ２０を伸ばしてワイヤ１５を引っ張り、スライダ２３を上昇させ、昇降バケット１１を上昇させる。ガイドローラ２９がガイドレール２８の上端部２８ａにさしかかると、昇降バケット１１は反転を開始し、中の廃棄物が収集口７ｃを通って廃棄物収集箱４に投入される。
【００５６】
次いで、バケットシリンダ２０を縮めてワイヤ１５を繰り出し、スライダ２３を下降させ、昇降バケット１１を下降位置まで下降させる。この一連のサイクルが繰り返される。
【００５７】
廃棄物を収集後、記憶させたデータを集計して印刷し、その場で廃棄物の収集を依頼した業者に手渡す。記憶したデータは、事務所に持ち帰って集計作業を行ってもよい。
【００５８】
このように、廃棄物の収集と廃棄物の計量とが一連の流れ作業で同時に行われる。また、昇降バケット１１の質量を計量しないときに、計量器３１を下降させることで、昇降バケット１１が下降してきたときに、昇降バケット１１が計量器３１に衝突しないので、計量器３１の故障が防止される。
【００５９】
また、廃棄物投入箱７内のバケット計量装置３０によって、昇降バケット１１の質量を計量可能であるので、別途計量器３１を用意する必要がない。
【００６０】
さらに、バケット計量装置３０を廃棄物投入箱７内に設けたので、新たにスペースを必要とせず、廃棄物収集車１の外形が大きくなることはない。
【００６１】
なお、廃棄物が満杯となり、又は、収集ルートを回り終えた廃棄物収集箱４内の廃棄物を廃棄物処理場で排出するには、まず、廃棄物投入箱７を回動させる必要があるが、廃棄物投入箱７を回動させて後方開口部３を開く操作をしようとすると、開操作規制手段７８により、警報ブザーが鳴る。このため、延長プレート６０のセッティングが必要となる。
【００６２】
まず、２名の作業者がそれぞれ左右の取っ手６３を持ちながらハンドル７２を操作して係止部材７０と被係止部材７５との係止を解除する。そして、延長プレート６０を廃棄物投入箱７の下面７ｄから外して、その先端をピット８１に合わせる。このことで、警報ブザーが鳴りやむ。このように、延長プレート６０が廃棄物投入箱７の下面７ｄに固定されているときに、誤って廃棄物投入箱７を開く操作をして延長プレート６０を引っ張って係止部材７０及び被係止部材７５を損傷させることはない。また、取っ手６３を持つことで延長プレート６０の被係止部材７５と係止部材７０との係止状態の解除を容易かつ安全に行える。
【００６３】
次いで、図２に二点鎖線で示すように、回動シリンダ８を伸ばして廃棄物投入箱７を回動軸９を中心に回動させ、後方開口部３を開く。
【００６４】
次いで、図３に示すように、車体２に設けた傾動シリンダ５を伸ばして傾動軸６を中心に廃棄物収集箱４を傾動させて排出する。
【００６５】
このとき、廃棄物と共に、廃棄物よりにじみ出て廃棄物収集箱４の底に溜まった汚水が勢いよく流れ出す。このような場合でも、図１１に矢印で示すように、廃棄物及びその汚水は、後方開口部３の下端両隅角部４ｃ周縁に設けたシュータ４０のテーパ面４０ａに誘導されて左右内側に向かって流れ出す。このため、廃棄物及びその汚水はカバー体５２及び延長プレート６０からはみ出さずに確実に廃棄用ピット８１に流れ込むので、廃棄物収集車１の周囲を汚染することはない。また、シュータ４０は、廃棄物収集箱４の一部のみ占有するだけなので、その容量の減少は、最小限に保たれる。また、カバー体５２の側壁５５及び延長プレート６０側壁６０ｂの前後端部は、折り畳み易いように切欠が形成されているが、シュータ４０の効果により、汚水がはみ出すことが回避される。
【００６６】
排出作業の終了後は、再び延長プレート６０を廃棄物投入箱７の下面７ｄに固定する。具体的には、取っ手６３を持って延長プレート６０を持ち上げて廃棄物投入箱７の下面７ｄに当接させ、ハンドル７２を上方へ回動させて押圧バネ７４を押圧しながら、係止部材本体７３の環状部７３ａを引き上げて被係止部材７５に引っ掛けて固定する。このことで、延長プレート６０は、廃棄物投入箱７の下面７ｄを覆うように抜け止めされた状態で確実に固定される。このため、走行中などの延長プレート６０を使用しないときに、延長プレート６０が邪魔になることはない。
【００６７】
−実施形態の効果−
したがって、本実施形態にかかる廃棄物収集車１によると、後方開口部３下方の下部空間にカバー体５２を設け、このカバー体５２の下端に延長プレート６０をヒンジ結合し、廃棄物収集箱４を傾動させて内部の廃棄物を排出するときに、廃棄物及びその汚水をカバー体５２及び延長プレート６０で誘導するようにしたことにより、廃棄物の排出時に廃棄物及びその汚水を廃棄用のピット８１に確実に流し込むことができるので、周囲を汚さずに効率よく廃棄物を廃棄することができる。
【００６８】
上記実施形態によれば、廃棄物及びその汚水を後方開口部３の下端両隅角部４ｃ周縁に設けたシュータ４０のテーパ面４０ａによって左右内側に向かって流れ出すようにしたことにより、簡単な構成で廃棄物収集箱４の容積の減少を最小限に保ちながら、廃棄物及びその汚水がカバー体５２及び延長プレート６０からはみ出すの防いで周囲の汚染を確実に防ぐことができる。
【００６９】
上記実施形態によれば、廃棄物投入箱７で後方開口部３を閉じているときに、延長プレート６０の被係止部材７５を廃棄物投入箱７の下端の係止部材７０に係止して廃棄物投入箱７の下面７ｄに固定するようにしたことにより、延長プレート６０をコンパクトに収納することができる。
【００７０】
上記実施形態によれば、開操作規制手段７８によって、被係止部材７５が係止部材７０に係止されているときに、廃棄物投入箱７を開くのを規制したことにより、係止部材７０及び被係止部材７５の損傷を防止しながら、延長プレート６０を収納することができる。
【００７１】
上記実施形態によれば、延長プレート６０の左右端部に取っ手６３を設けたことにより、延長プレート６０の操作を容易にして作業効率を向上させることができる。
【００７２】
上記実施形態によれば、延長プレート６０を、廃棄物投入箱７の下面７ｄを覆うように固定したことにより、延長プレート６０をコンパクトかつ確実に格納することができる。
【００７３】
上記実施形態によれば、廃棄物を昇降バケット１１により、廃棄物収集箱４に収集するようにしたことにより、袋詰めできないような拡散しやすい廃棄物でも、その汚水と共にカバー体５２及び延長プレート６０によって廃棄用ピット８１に確実に流し込んで、その拡散を防止することができる。
【００７４】
（その他の実施形態）
本発明は、上記実施形態について、以下のような構成としてもよい。
【００７５】
すなわち、上記実施形態では、スライダ２３の昇降をバケットシリンダ２０の伸縮によりワイヤ１５を操作して行ったが、ウインチを用いて行ってもよい。また、リンク機構により、昇降バケット１１を昇降及び反転させてもよい。
【００７６】
上記実施形態では、リフタ３２は、カム部材３６，３８を用いて構成したが、上下に伸びるシリンダで計量第３４を直接昇降させてもよい。しかし、カム部材３６，３８を用いることで、高さ方向のスペースが小さくて済む。
【００７７】
上記実施形態では、シュータ４０は、略三角錐台形状のものとしたが、これに限定されない。三角錐形状でもよく、要は、後方に向かって左右内側に傾斜し、廃棄物収集箱４の底面４ａに溜まる汚水の高さよりも高いテーパ面を有するものとすればよい。
【００７８】
上記実施形態では、廃棄物収集装置は、昇降バケット１１を有する反転投入装置１０としたが、これに限定されず、圧縮板式や回転式のものでもよい。
【００７９】
上記係止部材７０の構成は、上記実施形態のものに限定されない。例えば、係止部材７０を複数設けもよく、また、延長プレート６０を廃棄物投入箱７の下面７ｄにボルトや蝶ナットで締結するようにしてもよい。
【００８０】
上記開操作規制手段７８の構成は、上記実施形態のものに限定されない。例えば、警報ブザーやパイロットランプを作動させるのではなく、強制的に傾動シリンダ５を作動できないように構成してもよい。また、センサ部７９を設けずに、廃棄物投入箱７を回動させて後方開口部３を開くモードにはいると、必ず警報ブザーやパイロットランプを作動させ、延長プレート６０を廃棄物投入箱７から取り外した後等に解除ボタンを押すと、その作動を解除させるようにしてもよい。
【００８１】
上記実施形態では、カバー体５２の側壁５５及び延長プレート６０側壁６０ｂの前後端部は、折り畳み易いように切欠を形成したが、例えば、延長プレート６０の左右幅をカバー体５２の左右幅よりも大きくすれば、延長プレート側の切欠は不要となり、汚水のはみ出しを効果的に防止することも可能となる。
【００８２】
なお、以上の実施形態は、本質的に好ましい例示であって、本発明、その適用物や用途の範囲を制限することを意図するものではない。
【図面の簡単な説明】
【００８３】
【図１】反転投入装置の概要を示す側面図である。
【図２】本実施形態にかかる廃棄物収集車の側面図である。
【図３】廃棄物収集箱をダンプさせた様子を示す図２相当図である。
【図４】廃棄物収集車の背面図である。
【図５】反転投入装置の概要を示す斜視図である。
【図６】反転投入装置を後方から見た斜視図である。
【図７】昇降バケットが上昇する様子の概要を示す側方断面図である。
【図８】昇降バケットが反転する様子の概要を示す側方断面図である。
【図９】反転投入装置のワイヤリングの概要を示す斜視図である。
【図１０】バケット計量装置の断面図である。
【図１１】後方開口部の下端両隅角部周縁を拡大して示す斜視図である。
【図１２】廃棄物投入箱を回動させて後方開口部を開いた状態を後方から見た斜視図である。
【図１３】延長プレートが廃棄物投入箱の下面を覆うように固定された様子を示す側面図である。
【図１４】被係止部材が係止部材に固定された様子を拡大して示す側面図である。
【符号の説明】
【００８４】
１      廃棄物収集車
２      車体
３      後方開口部
４      廃棄物収集箱（廃棄物収集装置）
４ｃ    下端両隅角部
６      傾動軸
７      廃棄物投入箱
７ａ    投入口
７ｄ    下面
１０      反転投入装置
１１      昇降バケット
４０      シュータ
４０ａ    テーパ面
５２      カバー体
６０      延長プレート
６０ｂ    側壁
６３      取っ手
７０      係止部材
７５      被係止部材
７８      開操作規制手段
【図１】
2008308292.tif 000003
【図２】
2008308292.tif 000004
【図３】
2008308292.tif 000005
【図４】
2008308292.tif 000006
【図５】
2008308292.tif 000007
【図６】
2008308292.tif 000008
【図７】
2008308292.tif 000009
【図８】
2008308292.tif 000010
【図９】
2008308292.tif 000011
【図１０】
2008308292.tif 000012
【図１１】
2008308292.tif 000013
【図１２】
2008308292.tif 000014
【図１３】
2008308292.tif 000015
【図１４】
2008308292.tif 000016